(57)【要約】【課題】冷房、除湿時に表示部内に冷気が流入することによって表示部内で結露が発生するのを防止する。【解決手段】吹き出しグリル５の近傍に配置された表示部６の筐体８の前面に第２開口８ａが設けられ、これより発光体７ａが露出している。発光体７ａからの光は前面枠２に設けられた第１開口２ａを覆う表示パネル１０を透過して認識される。第１開口２ａの周縁と第２開口８ａの周縁とが密着してシール構造を形成する。これにより、冷房又は除湿時に吹き出しグリル５により冷却された冷気が、第１開口２ａの周縁と第２開口８ａの周縁との間を通過して、表示部６の第２開口８ａを通って筐体８内に流入するのを防止できる。よって、表示部６内での結露を防止できる。【選択図】  図２
2004333068.tif 000002
【特許請求の範囲】
【請求項１】
空気吸い込み口を備える前面グリルと、熱交換器と、前記前面グリルと前記熱交換器との間の前面枠と、空気吹き出し口を備える吹き出しグリルと、前記吹き出しグリルの近傍に配置された表示部と、前記前面グリル又は前記前面枠に設けられた第１開口を覆う表示パネルとを有し、
前記表示部は、箱状の筐体と、前記筐体内に収納されたプリント基板と、前記筐体の前面に設けられた第２開口から露出した発光体とを有し、
前記発光体からの光が前記表示パネルを透過して認識されるように構成された空気調和機の室内機であって、
前記第１開口の周縁と前記第２開口の周縁とが密着してシール構造を形成していることを特徴とする空気調和機の室内機。
【請求項２】
前記表示パネルが設けられた前記前面グリル又は前記前面枠と前記表示部とを連結し、且つ必要に応じて前記連結を解除できる結合部材を更に有する請求項１に記載の空気調和機の室内機。
【発明の詳細な説明】
【０００１】
【発明の属する技術分野】
本発明は、空気調和機の室内機に関する。特に、冷房及び除湿時に、吹き出しグリル近傍に設けられた表示部内で結露するのが抑制された空気調和機の室内機に関する。
【０００２】
【従来の技術】
前面グリルの水平方向のほぼ中央に表示部を配置した空気調和機の室内機において、冷房、除湿を行ったとき、冷却された吹き出しグリルからの冷輻射によって、表示部が冷却され、その内部のプリント基板に結露が発生するという問題がある。
【０００３】
この問題に対する特許文献１に記載された対処法を図５を用いて説明する。
【０００４】
図５は、従来の空気調和機の室内機の表示部近傍の断面図である。図５において、２１は前面グリル、２３は熱交換器、２５は吹き出しグリル、２６は表示部、２７は表示部用プリント基板、２８は樹脂材にて成形された箱状の表示台、２９は空気の吹き出し口、２０は表示部２６を固定するためのリブである。
【０００５】
前面グリル２１と吹き出しグリル２５との間に表示部２６が配置される。表示部２６は、表示部用プリント基板２７と、プリント基板２７を保持する表示台２８とからなる。表示台２８は、吹き出しグリル２５に設けられたリブ２０によって支持される。表示台２８をリブ２０を介して吹き出しグリル２５に設置することにより、表示台２８を吹き出しグリル２５から離れた位置に設置できる。従って、吹き出しグリル２５からの冷輻射の影響を少なくすることができるので、プリント基板２７に結露が発生するのを防止することができる。
【０００６】
【特許文献１】
特開２００２−２２１３３６号公報
【０００７】
【発明が解決しようとする課題】
上記従来の構成では、吹き出しグリル２５からの冷輻射の影響は低減できるものの、吹き出しグリル２５により冷却された空気の表示部２６内への流入を防止することはできない。従って、流入する冷気によるプリント基板２７に発生する結露を完全に防止することができなかった。
【０００８】
本発明は、従来の構成が有する上記の問題を解決し、冷房及び除湿時に表示部内への冷気の流入を防止することにより表示部内で結露が発生するのが抑制された空気調和機の室内機を提供することを目的とする。
【０００９】
【課題を解決するための手段】
上記の目的を達成するために、本発明の空気調和機の室内機は、空気吸い込み口を備える前面グリルと、熱交換器と、前記前面グリルと前記熱交換器との間の前面枠と、空気吹き出し口を備える吹き出しグリルと、前記吹き出しグリルの近傍に配置された表示部と、前記前面グリル又は前記前面枠に設けられた第１開口を覆う表示パネルとを有し、前記表示部は、箱状の筐体と、前記筐体内に収納されたプリント基板と、前記筐体の前面に設けられた第２開口から露出した発光体とを有し、前記発光体からの光が前記表示パネルを透過して認識されるように構成された空気調和機の室内機であって、前記第１開口の周縁と前記第２開口の周縁とが密着してシール構造を形成していることを特徴とする。
【００１０】
【発明の実施の形態】
本発明によれば、前面グリル又は前面枠に設けられた第１開口の周縁と、表示部の筐体の前面に設けられた第２開口の周縁とが密着してシール構造を形成しているので、冷房又は除湿時に冷却された吹き出しグリルにより冷却された冷気が、第１開口の周縁と第２開口の周縁との間を通過するのを抑制できる。また、第１開口は表示パネルにより覆われているので、冷気が第１開口内に流入することもない。従って、冷気が表示部の第２開口を通って筐体内に流入するのを防止できるので、表示部を構成するプリント基板に結露するのを防止できる。
【００１１】
上記の本発明の空気調和機の室内機は、前記表示パネルが設けられた前記前面グリル又は前記前面枠と前記表示部とを連結し、且つ必要に応じて前記連結を解除できる結合部材を更に有することが好ましい。これにより、第１開口の周縁と第２開口の周縁とが形成するシール構造を長期に亘って安定して維持できる。従って、表示部を構成するプリント基板に結露するのをより一層防止できる。
【００１２】
以下、本発明の実施の形態について図面を参照して説明する。
【００１３】
（実施の形態１）
図１は、本発明の実施の形態１に係る空気調和機の室内機（以下、単に「室内機」という）の断面図である。１は前面グリル、１ａは前面グリル１に設けられた空気吸い込み口、２は前面枠、３は熱交換器、４は送風ファン、５は吹き出ししグリル、６は表示部、９は吹き出しグリル５に設けられた空気吹き出し口である。室内の空気は、吸い込み口１ａ、前面枠２に保持されたフィルタ（図示せず）を順に通過して、熱交換器３にて冷却され、送風ファン４により吹き出し口９から室内に送出される。図示したように、表示部６は吹き出しグリル５の上部近傍にリブ１１を介して設けられる。また、表示部６は、室内機の幅方向（図１の紙面の垂直方向）の略中央に配置されている。
【００１４】
図２は、図１の部分ＩＩの拡大断面図である。図２において、７は表示部用のプリント基板、７ａはプリント基板７に保持された発光体（例えばＬＥＤ）、８はプリント基板７を収納する箱状の筐体であり、こられによって表示部６が構成される。筐体８の前面には開口（第２開口）８ａが形成されており、この開口８ａより発光体７ａが露出する。発光体７ａと開口８ａの周縁との間には隙間がある。本発明は、この隙間を通って筐体８内に冷気が流入するのを防止することにより、筐体８内での結露を抑制する。
【００１５】
表示部６は、前面枠２の裏面に取り付けられている。前面枠２には開口（第１開口）２ａが設けられ、開口２ａを覆うように表示パネル１０が前面枠２に取り付けられている。表示パネル１０は前面グリル１に設けられた開口１ｂ内に嵌り込む。表示パネル１０には、例えば、室内機の運転状態やタイマー予約状態を表示するための所定の文字（例えば「ＯＮ」又は「ＯＦＦ」の文字）や記号などが記されている。発光体７ａが点灯すると、その光は、表示パネル１０を透過し、その際に表示パネル１０に記載された文字や記号を認識することができる。
【００１６】
本実施の形態では、筐体８の開口８ａの周縁に、前面枠２の側に突出したテーパ状の突起８ｂが形成されている。また、前面枠２の開口２ａの周縁に、表示部６の側に突出したテーパ状の突起２ｂが形成されている。テーパ状の突起２ｂ内にテーパ状の突起８ｂが嵌入し、両者が密着することにより、シール構造を形成している。
【００１７】
以上のように構成された本実施の形態の室内機の作用を説明する。前面枠２の開口２ａは表示パネル１０によって塞がれているため、前面枠２の前面側の冷気は開口２ａを通って表示部６側に流入することはできない。また、前面枠２の裏面側の冷気はテーパ状の突起２ｂとテーパ状の突起８ｂとの間を通って表示部６側に流入することはできない。従って、冷房又は除湿時に、冷却された吹き出しグリル５の近傍に漂う冷気や、吹き出し口９から吹き出された冷気が、発光体７ａと筐体８の開口８ａの周縁との間の隙間を通過して筐体８内に流入するのを防止できる。以上の結果、筐体８内に収納されたプリント基板７に結露が発生するのを防止することができる。
【００１８】
（実施の形態２）
図３は、本発明の実施の形態２に係る室内機の表示部６近傍の拡大断面図である。実施の形態１と同一の機能を有する部材には同一の符号を付して、それらについての詳細な説明を省略する。
【００１９】
本実施の形態では、実施の形態１と異なり、表示パネル１０が前面グリル１に設けられた開口（第１開口）１ｂを覆うように、前面グリル１に取り付けられている。前面グリル１の開口１ｂの周縁に、表示部６の側に突出したテーパ状の突起１ｃが形成されている。テーパ状の突起１ｃ内に、筐体８に設けられたテーパ状の突起８ｂが嵌入することにより、シール構造を形成している。
【００２０】
以上のように構成された本実施の形態の室内機の作用を説明する。前面グリル１の開口１ｂは表示パネル１０によって塞がれているため、前面グリル１の前面側の冷気は開口１ｂを通って表示部６側に流入することはできない。また、前面グリル１の裏面側の空気はテーパ状の突起１ｃとテーパ状の突起８ｂとの間を通って表示部６側に流入することはできない。従って、冷房又は除湿時に、冷却された吹き出しグリル５の近傍に漂う冷気や、吹き出し口９から吹き出された冷気が、発光体７ａと筐体８の開口８ａの周縁との間の隙間を通過して筐体８内に流入するのを防止できる。以上の結果、筐体８内に収納されたプリント基板７に結露が発生するのを防止することができる。
【００２１】
（実施の形態３）
実施の形態２において、表示部６の筐体８と前面グリル１とを連結するための結合部材が設けられることが好ましい。このような結合部材は、例えば、図４に示すように、前面グリル１の裏面に突出して設けられた第１爪１２ａと、筐体８に設けられた片持ち支持構造のアーム１２ｃ自由端に形成された第２爪１２ｂとで構成することができる。
【００２２】
第１爪１２ａと第２爪２ｂとを係合させることにより、前面グリル１と筐体８との距離を所定間隔に維持することができる。従って、構成部品の寸法誤差や組み立て誤差などがあっても、テーパ状の突起１ｃとテーパ状の突起８ｂとによるシール構造を常に安定して形成することができる。また、シール状態が時間の経過とともに変化して徐々に緩くなるのを防止できる。
【００２３】
また、前面枠２に取り付けられるフィルタ（図示せず）の清掃などを行うために、前面グリル１は、その上端を支点として回動させることにより図３の矢印１５の方向に開閉されることがある。図４の結合部材は、第２爪２ｂが弾性変位して第１爪１２ａと第２爪２ｂとの係合状態を容易に解除することができる。前面グリル１を開くと、テーパ状の突起１ｃとテーパ状の突起８ｂとによって構成されるシール構造が解除されるが、その後、前面グリル１を閉じると、第１爪１２ａと第２爪２ｂとが係合して、テーパ状の突起１ｃとテーパ状の突起８ｂとを密着させる。従って、テーパ状の突起１ｃとテーパ状の突起８ｂとによるシール構造を容易に精度良く再現できる。
【００２４】
従って、前面グリル１と表示部６とを連結し両者の距離を一定に維持する上記のような結合部材を設けることにより、テーパ状の突起１ｃとテーパ状の突起８ｂとによるシール効果が向上し、安定して維持され、更に容易に再現できるので、本発明の筐体８内での結露の発生の防止効果が一層向上し、またこれを安定して維持することができる。
【００２５】
このような結合部材は、表示部６の近傍、即ち、テーパ状の突起１ｃとテーパ状の突起８ｂとによるシール構造の近傍に設けられることが好ましい。これにより、テーパ状の突起１ｃとテーパ状の突起８ｂとの密着状態を安定して形成することができる。
【００２６】
なお、表示部６の筐体８と前面グリル１とを連結するための結合部材の構成は、連結及び解除を繰り返して行うことができ、連結した状態ではその連結状態を安定して維持することができる構成であれば、図４に限定されない。例えば、筐体８にボルト（又はナット）を埋め込んでおき、前面グリル１の表面側からナット（又はボルト）を締結させる構成であっても良い。
【００２７】
また、結合部材の一方は、表示部６自体に直接設けられる必要はなく、表示部６と一体化された別部材に設けられても良い。
【００２８】
また、実施の形態１の構成においても、表示部６の筐体８と前面枠２とを連結するために、上記と同様の結合部材を設けることができる。これにより、上記と同様の効果が得られる。
【００２９】
上記の実施の形態１，２では、テーパ状の突起２ｂ（又は１ｃ）とテーパ状の突起８ｂとからなるシール構造を示したが、本発明におけるシール構造は、吹き出しグリル５近傍の冷気が、表示パネル１０によって塞がれた第１開口の周縁と筐体８の第２開口８ａの周縁との間を通過して筐体８内に流入するのを防止することができれば、この構成に限定されない。例えば、上記の実施の形態１，２のように２つのテーパ面を嵌合させる構成ではなく、２つの環状平面を密着させる構成であっても良い。また、シール効果を向上させるために、密着面にゴムなどのを配しても良い。
【００３０】
【発明の効果】
上記から明らかなように、本発明によれば、前面グリル又は前面枠に設けられた第１開口の周縁と、表示部の筐体の前面に設けられた第２開口の周縁とが密着してシール構造を形成しているので、冷房又は除湿時に冷却された吹き出しグリルにより冷却された冷気が、第１開口の周縁と第２開口の周縁との間を通過するのを抑制できる。また、第１開口は表示パネルにより覆われているので、冷気が第１開口内に流入することもない。従って、冷気が表示部の第２開口を通って筐体内に流入するのを防止できるので、表示部を構成するプリント基板に結露するのを防止できる。
【図面の簡単な説明】
【図１】本発明の実施の形態１に係る空気調和機の室内機の断面図
【図２】図１の部分ＩＩの拡大断面図
【図３】本発明の実施の形態２に係る空気調和機の室内機における表示部近傍の拡大断面図
【図４】本発明の実施の形態３に係る結合部材の拡大断面図
【図５】従来の空気調和機の室内機における表示部近傍の断面図
【符号の説明】
１    前面グリル
１ａ  空気吸い込み口
１ｂ  開口（第１開口）
１ｃ  突起
２    前面枠
２ａ  開口（第１開口）
２ｂ  突起
３    熱交換器
４    送風ファン
５    吹き出しグリル
６    表示部
７    プリント基板
７ａ  発光体
８    筐体
８ａ  開口（第２開口）
８ｂ  突起
９    空気吹き出し口
１０  表示パネル
１１  リブ
１２ａ，１２ｂ  爪
【図１】
2004333068.tif 000003
【図２】
2004333068.tif 000004
【図３】
2004333068.tif 000005
【図４】
2004333068.tif 000006
【図５】
2004333068.tif 000007